(57)【要約】【課題】  支柱を回動させた状態でも、支柱の伸縮が可能な投光機を提供することを目的とする。【解決手段】  基台である台車６に設置された伸縮自在の支柱４と、該支柱４の内部に設けられた昇降装置21と、前記支柱４の先端に備えられた照明装置２と、該照明装置２に給電するための電源装置５とを備えた投光機１において、前記支柱４は円管からなり、前記昇降装置21と連動して回動し、前記支柱４は台車６に固定した第１の支柱３と、該第１の支柱３に対して順次外径を小さくした第２、第３の支柱4a,4bとを遊嵌して構成され、該第２、第３の支柱4a,4bは上下移動可能かつ連動して回動可能に遊嵌されていることを特徴とする。【選択図】図３
2005203237.tif 000002
【特許請求の範囲】
【請求項１】
基台に設置された伸縮自在の支柱と、該支柱の内部に設けられた昇降装置と、前記支柱の先端に備えられた照明装置と、該照明装置に給電するための電源装置とを備えた投光機において、前記支柱は円管からなり、前記昇降装置と連動して回動することを特徴とする投光機。
【請求項２】
前記支柱は基台に固定した基端支柱と、該基端支柱に対して順次外径を小さくした複数の支柱からなる上部支柱とをそれぞれ遊嵌して構成され、該上部支柱は互いに上下移動可能かつ連動して回動可能に遊嵌されていることを特徴とする請求項１記載の投光機。
【請求項３】
前記上部支柱は第２、第３の支柱からなり、前記昇降装置は前記第２の支柱内に上下移動可能に遊挿され前記支柱を伸長方向に付勢する付勢手段を備え、該付勢手段の下端部は前記基端支柱の内底部に固定し、上端部には滑車を設け、該滑車に、一端を前記上部支柱と連動して回動する受け部に固定し他端を前記第３の支柱下部に固定したワイヤを掛け渡して構成されることを特徴とする請求項２に記載の投光機。
【請求項４】
前記上部支柱は第２および第３、第４の支柱からなり、前記第３の支柱内には第４の支柱に対し上下移動可能に遊嵌される内設支柱を設け、前記昇降装置は、前記第２の支柱内に上下移動可能に遊挿され前記支柱を伸長方向に付勢する付勢手段を備え、該付勢手段の下端部は前記基端支柱の内底部に固定し、上端部には第１の滑車を設け、該第１の滑車に、一端を前記上部支柱と連動して回動する受け部に固定し他端を前記第３の支柱下部に固定した第１のワイヤを掛け渡し、前記内設支柱の上部に第２の滑車を設け、該第２の滑車に、一端を前記第２の支柱下部に固定し、他端を第４の支柱下部に固定した第２のワイヤを掛け渡して構成されることを特徴とする請求項２に記載の投光機。
【請求項５】
前記上部支柱の底面にワイヤを連通させるための連通孔を設けたことを特徴とする請求項３又は４に記載の投光機。
【発明の詳細な説明】
【技術分野】
【０００１】
本発明は、本考案は、道路工事など屋外で使用される照明装置である投光機であって、特に、台車に立設した伸縮自在の支柱の構造に関するものである。
【背景技術】
【０００２】
従来、この種の道路工事やスポーツ施設などの夜間照明として支柱の先端に備えられた照明装置と、該照明装置に給電するための電源装置を備えた投光機が使用されており、こうした投光機においては、表示を見易くし、又、照明範囲を広げるため、必要に応じ支柱を適宜伸ばして使用する伸縮自在の支柱構造が採用されている。
【０００３】
さらに、こうした伸縮自在の支柱構造においては、支柱の伸長および収縮に際し、操作者の負担を軽減するため、台車上面に固定した第１の支柱に対して順次内径を小さくした第２、第３の支柱を順次上下摺動可能に遊嵌すると共に、下段の中管柱内には、前記補助管柱内に上下移動可能に遊挿されるガスダンパーを、ロッド出没側が下向きになるよう倒立状に設置すると共に、該ガスダンパーのロッド先端部を基管柱の内底部に固定し、さらに前記ガスダンパーの上部に滑車を設け、該滑車に、一端を前記支柱下部に固定し、他端を第３の支柱下部に固定したワイヤを掛け渡したものが開示されている（例えば特許文献１）。
【特許文献１】特許３１９７８３４
【発明の開示】
【発明が解決しようとする課題】
【０００４】
しかしながら、上述の特許文献１に開示された投光機においても、支柱を丸棒により構成した場合に、各支柱がそれぞれに回動することによって、支柱に内蔵されているワイヤがよじれて、支柱の伸長および収縮が困難になり、さらに悪化すると滑車からワイヤが外れ支柱の伸長ができなくなるという懸念があった。
【０００５】
また、支柱を円管により構成することができれば、操作者が角部で怪我をすることがなくなり、使い勝手が良くなるので好ましい。
【０００６】
そこで、本発明は上記のような従来技術の問題点に鑑みて、支柱を回動させた状態でも、支柱の伸縮が可能な投光機を提供することを目的とする。
【課題を解決するための手段】
【０００７】
上記目的を達成するために、本発明に係る投光機は、基台に設置された伸縮自在の支柱と、該支柱の内部に設けられた昇降装置と、前記支柱の先端に備えられた照明装置と、該照明装置に給電するための電源装置とを備えた投光機において、前記支柱は円管からなり、前記昇降装置と連動して回動することを特徴とする。
【０００８】
また、前記支柱は基台に固定した基端支柱と、該基端支柱に対して順次外径を小さくした複数の支柱からなる上部支柱とをそれぞれ遊嵌して構成され、該上部支柱は互いに上下移動可能かつ連動して回動可能に遊嵌されてもよい。
【０００９】
また、前記上部支柱は第２、第３の支柱からなり、前記昇降装置は前記第２の支柱内に上下移動可能に遊挿され前記支柱を伸長方向に付勢する付勢手段を備え、該付勢手段の下端部は前記第１の支柱の内底部に固定し、上端部には第１の滑車を設け、該第１の滑車に、一端を前記支柱と連動して回動する受け部に固定し、他端を第３の支柱下部に固定したワイヤを掛け渡して構成されてもよい。
【００１０】
また、前記上部支柱は第２および第３、第４の支柱からなり、前記第３の支柱内には第４の支柱に対し上下移動可能に遊嵌される内設支柱を設け、前記昇降装置は、前記第２の支柱内に上下移動可能に遊挿され前記支柱を伸長方向に付勢する付勢手段を備え、該付勢手段の下端部は前記基端支柱の内底部に固定し、上端部には第１の滑車を設け、該第１の滑車に、一端を前記上部支柱と連動して回動する受け部に固定し他端を前記第３の支柱下部に固定した第１のワイヤを掛け渡し、前記内設支柱の上部に第２の滑車を設け、該第２の滑車に、一端を前記第２の支柱下部に固定し、他端を第４の支柱下部に固定した第２のワイヤを掛け渡して構成されてもよい。
【００１１】
また、前記第２、第３の支柱の底面にワイヤを連通させるための連通孔を設けてもよい。
【発明の効果】
【００１２】
本発明の請求項１記載の投光機によれば、円管で構成された支柱が昇降装置と連動して回転する構成となっているので、支柱の回転位置を気にすることなく支柱の伸縮をすることができる。
【００１３】
また、請求項２に記載の投光機によれば、基台に固定された第１の支柱に対し上下移動可能、かつ、軸方向に回動可能に第２、第３の支柱が遊嵌されているので、第２、第３の支柱を適宜回転させた場合にも支柱の高さ調節を容易に行なうことができる。
【００１４】
また、請求項３に記載の投光機によれば、昇降装置が支柱の伸長方向に付勢された付勢手段を利用して支柱の伸縮を行なえるので、操作者の負担を軽減でき、より速やかに行なうことができる。
【００１５】
また、請求項４に記載の投光機によれば、支柱が４段の場合にも支柱の回動位置にかかわりなく、支柱の伸縮を行なうことができる。
【００１６】
また、請求項５に記載の投光機によれば、支柱の内部にワイヤを掛け渡すことによって、外部にワイヤが露出することがないため、操作者がワイヤに触れることがなく怪我をする虞がないだけでなく、見栄えを良くすることができる。
【発明を実施するための最良の形態】
【００１７】
以下、図面を参照して、本発明の好適な実施形態について説明する。
【００１８】
まず、本発明にかかる投光機の全体構成について概略を図１を参照して説明する。図１は本発明に係る投光機の概略を模式的に示す全体構成図である。
【００１９】
投光機１は、基台である台車６に設置された伸縮自在の支柱13と、該支柱13の内部に設けられた昇降装置21と、前記支柱13の先端に備えられた照明装置２と、該照明装置２に給電するための電源装置５とを備えて構成されている。ここで、基台とは、電源装置５の移動を容易にするための車軸を備えた台車６を例示するが、これに限られるものではなく、例えば、支柱13を立設しておくための脚部であってもよい。尚、電源装置５は例えば、発電機やバッテリ、家庭用電源であっても良いことはもちろんである。
【００２０】
前記台車６は、車体７の前後左右に車輪８が回動自在に軸支されており、車輪付き電源装置５を係脱可能に据付できるように構成されている。尚、電源装置５は車輪を有しないものであってもよく、また、台車６に着脱可能又は固定的に据付けられてもよいことはいうまでもない。
【００２１】
前記照明装置２は、バルーンと、図示は省略するが、該バルーンに内蔵された電球と、該バルーンを膨らませる空気を供給するファンとから構成されている。尚、照明装置２は本例に限定されるものではなく、バルーンを有しない光源、例えば所要数のライトを備えるものであっても良いことはもちろんである。
【００２２】
前記支柱13の上端には照明装置２が接続支柱９を介して着脱自在に連結されている。前記接続支柱９は、その上端で照明装置２の下端中央部に連結しており、下端において前記支柱13の上端と連結部材10を介して着脱自在に連結されている。これにより、支柱13に対し照明装置２を着脱自在に設置することが可能となる。
【００２３】
前記連結部材10は照明装置２に給電するためのケーブル11のコネクタを差込み接続する図示しないコンセントを備えている。また、前記コネクタはケーブル11を介して発電機５に接続されており、前記発電機５から供給される電力を照明装置２に内蔵されている電球と、ファンに供給するように構成されている。
【００２４】
次に、本発明に係る好適な伸縮自在の支柱13の構造について図２〜図６を参照して説明する。図２は本実施例に係る支柱構造を模式的に示す平面図である。図３は、図２におけるＡ−Ａ断面図である。図４は、図３におけるＣ部の部分拡大図である。図５は、図２におけるＢ−Ｂ断面図である。図６は本実施例に係る支柱構造を示す横断面図であり、（ａ）は図３におけるａ−ａ断面図、（ｂ）は同じくｂ−ｂ断面図である。
【００２５】
前記支柱13は複数の円管からなり、台車６に固定した基端支柱である第１の支柱３と、該第１の支柱３に対して順次外径を小さくした上部支柱４を構成する第２、第３の支柱4a,4bとを遊嵌して構成され、該第２、第３の支柱4a,4bは上下移動可能かつ連動して回動可能に遊嵌されており、この支柱13内に設置された昇降装置21と連動して回動するように構成されている。ここで、前記昇降装置21は、前記第２の支柱4a内に上下移動可能に遊挿され前記上部支柱４を伸長方向に付勢する付勢手段であるガスダンパー22を備え、該ガスダンパー22の下端部は前記第１の支柱３の内底部12に固定し、上端部には第１の滑車25を設け、該第１の滑車25に、一端27aを前記上部支柱４と連動して回動する受け部33に固定し、他端27bを第３の支柱4bの下部に固定した第１のワイヤ27を掛け渡して構成されている。
【００２６】
前記第１の支柱３は、その下端を熔接などの固定手段により台車６に固定されて略垂直に立設され、その内底部12にガスダンパー22の下端部が固定されている。この内底部12の上方に第２の支柱4a、第３の支柱4b、および昇降装置21等が備えられる。
【００２７】
前記ガスダンパー22はロッド23出没側が下向きになるように立設され、ロッド23の下端部には雄ネジ28が形成されており、内底部12に挿入されて内底部12下側からナット29を螺合することによって、ガスダンパー22が内底部12に固定されている。内底部12上側に設けられた軸受け31は、内輪31aが上下に配置された２つのリング体32を介して、内底部12とロッド23の肩部23aにより狭持されることによって支持されている。これにより、ロッド23及び軸受け31の内輪31aは第１の支柱３及び台車６に対して一体的に固定される。
【００２８】
一方、軸受け31の外輪31bは、受け部33に内挿されている。この受け部33は、内輪31aより大きな貫通孔34を設けた底部と内径が外輪31bの外径と略同径の円筒とからなる凹部35と、該凹部35と連続して形成されたフランジ部36とからなる。この凹部35に挿入された外輪31bは、上部を止め部37、例えばＣリングにより、下部を受け部33の凹部35により狭持されている。これによって、受け部33がロッド23に対し回動可能に支持される。
【００２９】
この受け部33に形成されたフランジ部36には貫通孔が設けられており、第１のワイヤ27の一端27aは、その先端において連結部42とカシメられて接続され、該連結部42がフランジ部36にロックナット38と螺合されて受け部33に連結されている。これによって、第１のワイヤ27の一端27aがロッド23および第１の支柱３に対し、回動自在に支持される。
【００３０】
前記上部支柱４を構成する第２、第３の支柱4a,4bは、第１の支柱３に対し順次外径を小さくしたものを第１の支柱３内に上下移動可能かつ回動可能に遊嵌されている。この第２の支柱4aは有底筒状の円管からなり、この底面41において本体部24のロッド23出没側の端部を着脱手段43により拘持している。これにより、ガスダンパー22はその本体部24において第２の支柱4aと一体的に固定され、第２の支柱4a内に立設された状態で、ロッド23から独立して第２の支柱4aと一体的に第１の支柱３に対し回動可能に支持される。また、同様に第３の支柱4bも有底筒状の円管からなり、底面44は、ガスダンパー22の本体部24が移動可能な貫通孔45を有し、この底面44に第１のワイヤ27の他端27bが固定されている。
【００３１】
ガスダンパー22の本体部24上端には、支持部26により第１の滑車25が回転自在に設置されている。この第１の滑車25には、一端27aを受け部33のフランジ部36に連結され、他端27bを第２と第３の支柱4a,4bの底面41,44に形成された連通孔46,47に挿通して第３の支柱4bの底面44に掛止された第１のワイヤ27が掛け渡されている。第１のワイヤ27の他端27bには掛止部が設けられ、前記連通孔47と軸対称となる位置に形成された孔48を介して掛止されている。
【００３２】
図５に示すように、本体部24の側面には第１の縦杆51が付設され、上端は前記第１の滑車25の支持部26にスペーサ52を介して固定され、下端は第２の支柱4aの底面41の上側において把持部材53により本体部24に固定されている。これにより、第１の縦杆51は本体部24と一体的に固定され本体部24とともに回動する。前記第３の支柱4bの底面44は図６(a),(b)に示すように、貫通孔45の一部が第１の縦杆51の略同じ大きさに形成された切欠部46を有し、この切欠部46に第１の縦杆51が挿通されている。これにより、第３の支柱4bは第１の縦杆51を介して本体部24と連動して回動可能となり、さらに、上述の通り本体部24と第２の支柱4aが一体的に固定されているため、第２の支柱4a、第３の支柱4b、本体部24は第１の支柱３に対し連動して回動可能な状態に支持されている。
【００３３】
このような構成にしたことにより、フランジ部33に連結された第１のワイヤ27の一端27aは、第１の滑車25の回動、すなわち、第２の支柱4a、第３の支柱4b、本体部24の回動を追随して適宜その位置を変えることが可能であるので、第２の支柱4aおよび第３の支柱4bが回動しても、第１の滑車25から第１のワイヤ27が外れるのを防止できるため、支柱13の伸縮を行なうことができる。
【００３４】
次に、本実施例に係る支柱13構造の作用について説明する。
【００３５】
まず、支柱13の高さを調節する際の作用について説明する。支柱13を伸長させる場合は、操作者が第２の支柱4aの外周に設けられた図示しない把手を押し上げ、第２の支柱4aに対し上方へ力を加えると、補助的に作用するガスダンパー22によりロッド23が伸長するのに伴い、本体部24が上昇し、ガスダンパー22の本体部24と第２の支柱4aの底面41が着脱手段により拘持され一体的に固定されているので第２の支柱4aが上昇する。さらに第１の滑車25の上昇に伴って、第３の支柱4bが一体的に上昇するので、支柱13を伸長させることができる。
【００３６】
また、収縮する場合も同様に、把手を下方へ押し下げ、第２の支柱4aに対し下方に力を加えると、ロッド23が収縮するのに伴い、本体部24が下降し、それと一体的に第２の支柱4aが下降する。さらに第１の滑車25が下降するので、第３の支柱4bが一体的に下降するため、支柱13を収縮させることができる。
【００３７】
さらに、第２、第３の支柱4a,4bが、支柱13の軸方向を中心として第１の支柱３に対して回動した場合について説明する。上述の通り、第３の支柱4bは第１の縦杆51を介して第２の支柱4aと連動して回動可能であり、さらに、上述の通り本体部24と第２の支柱4aが一体的に固定されているため、第２の支柱4aと第３の支柱4bが連動して回動すると、それに伴い、本体部24が回動するため、本体部24上端に設置された第１の滑車25は第３の支柱4bと一体的に回動する。したがって、この第１の滑車25に掛け渡された第１のワイヤ27の他端27bは第３の支柱4bの底面44に掛止されているため、この第１のワイヤ27の他端27bと第１の滑車25の位置関係は回動前後で何ら変わらない。
【００３８】
一方、第１のワイヤ27の一端27aは、第２、第３の支柱4a, 4bの底面41, 44に形成された連通孔46, 47に挿通されて、その先端は、連結部42とカシメなどにより接続され、該連結部42が軸受け31の外輪31bに支持された受け部33のフランジ部36にロックナット38と螺合されて受け部33に連結されている。このロックナット38により掛け渡されている第１のワイヤ27の長さや張り具合を調節できることはいうまでもない。
【００３９】
前記受け部33は、内輪31aより大きな貫通孔34を設けた底部と、内径が外輪31bの外形と略同径の筒状からなる凹部35と、該凹部35と連続して形成されたフランジ部36とからなる。この凹部35に挿入された受け部33の外輪31bは、上部を止め部37、例えばＣリングにより、下部を受け部33の凹部35により狭持され、受け部33がロッド23に対し回動可能に支持されている。したがって、フランジ部33に連結された第１のワイヤ27の一端27aは、第１の滑車25の回動、すなわち、第２の支柱4a、第３の支柱4b、本体部24の回動を追随して適宜その位置を変えることが可能であるので、第１のワイヤ27にストレスがかかって第１の滑車25から外れる前に、第１のワイヤ27の一端27aを適当な回転方向の位置に移動させることができるため、第１の滑車25から第１のワイヤ27が外れるのを防止でき、第２、第３の支柱4a,4bの回動に係りなく支柱13を伸縮させることができる。
【００４０】
次に、本発明に係る好適な別の実施形態について図面を参照して説明する。尚、上記と同様の構成については同様の符号を付し、簡単のため説明を省略する。図７は本発明の別の実施形態に係る支柱構造を模式的に示す縦断面図である。図８は９０°回転した位置における縦断面図である。図９は図８におけるｃ−ｃ断面図である。
【００４１】
上部支柱４は、第２の支柱4a、第３の支柱4b、第４の支柱4cからなり、それぞれが上下移動自在に、かつ、連動して回動可能に遊嵌されている。すなわち、第２、第３の支柱4bは第１の縦杆51により、第１の支柱３に対し連動して回動可能な状態に支持され、第３の支柱4bと第４の支柱4cとは第２の縦杆53によって連動して回動可能な状態に支持されている。
【００４２】
前記第３の支柱4b内に設けられた内設支柱54は、有底筒状の円柱からなり上端にフランジ部55が一体的に形成され、該フランジ部55を下方にして設置され、そのフランジ部55において第３の支柱4b下部にボルトによって接合されている。この内設支柱54の上部には支持部26により、第２の滑車56が軸対称に２個、回動自在に設けられており、この第２の滑車56には、一端59aを前記第２の支柱4aの下面41に固定し、他端59bを第３と第４の支柱4b,4cの底面44,57に形成された連通孔58,62に挿通して第４の支柱4cの下面57に固定したワイヤ59が掛け渡されている。第２のワイヤ59の他端59bには掛止部が設けられ、前記連通孔62と軸対称となる位置に形成された孔63を介して掛止されている。尚、第２の滑車56は単数でもよく、内設支柱54にワイヤ59が干渉せず、さらに、第４の支柱4cに滑車が干渉しない範囲で適宜選択できる。また、前記内設支柱54は角柱からなるものであってもよい。
【００４３】
このように構成したことにより、第２の支柱4aに対し上下方向へ力を加えると、補助的に作用するガスダンパー22により本体部24が上昇または下降し、ガスダンパー22の本体部24と第２の支柱4aの底面41が着脱手段により拘持され一体的に固定されているので第２の支柱4aが上昇または下降する。これによって第１の滑車25が上下方向に移動し、それに伴って第３の支柱4bが一体的に移動する。さらに、第３の支柱4bの移動に伴い内設支柱54に設けられた第２の滑車56が、第２の支柱4aすなわち第２のワイヤ59の一端59aから相対的に移動するので、第２のワイヤの他端59bが第４の支柱4cの底面57を押し上げもしく引き下げ、支柱13を伸縮させることができる。
【００４４】
この内設支柱54には前記第２の縦杆53が付設されており、前記第４の支柱4cの底面57は図９に示すように、貫通孔60の一部が第２の縦杆53と略同じ大きさに形成された切欠部61を有し、この切欠部61に第２の縦杆53が挿通されている。これにより、第４の支柱4cは第２の縦杆53を介して第３の支柱4bと連動して回動可能となり、さらに、上述の通り第３の支柱4bが第１の縦杆51を介して本体部24及び第２の支柱4aと連動して回動可能な状態に支持されているので、第２、第３、第４の支柱4a,4b,4cからなる上部支柱４は連動して回動可能な状態に支持される。
【００４５】
このような構成にしたことにより、第４の支柱4cを回動した場合であっても、第４の支柱4cは第２、第３の支柱4a,4bと連動して回動可能であるので、第２の滑車56からワイヤ59が外れることがなく、したがって、上部支柱４の回動位置にかかわりなく支柱13の伸縮を行なうことができる。
【００４６】
次に、本実施例に係る支柱13構造の作用について説明する。
【００４７】
まず、支柱13の高さを調節する際の作用について説明する。支柱13を伸長させる場合は、操作者が第２の支柱4aの外周に設けられた図示しない把手を押し上げ、第２の支柱4aに対し上方へ力を加えると、補助的に作用するガスダンパー22によりロッド23が伸長するのに伴い、本体部24が上昇し、ガスダンパー22の本体部24と第２の支柱4aの底面41が着脱手段により拘持され一体的に固定されているので第２の支柱4aが上昇し、第１の滑車25の上昇に伴って、第３の支柱4bが一体的に上昇する。さらに、第３の支柱4bの上昇に伴い内設支柱54に設けられた第２の滑車56が、第２の支柱4aすなわち第２のワイヤ59の一端59aから相対的に上昇するので、第２のワイヤ59の他端59bが第４の支柱4cの底面57を押し上げ、支柱13を伸長させることができる。
【００４８】
また、収縮する場合も同様に、把手を下方へ押し下げ、第２の支柱4aに対し下方に力を加えると、ロッド23が収縮するのに伴い、本体部24が下降し、それと一体的に第２の支柱4aが下降する。さらに第１の滑車25が下降するので、第３の支柱4bが一体的に下降する。さらに、第３の支柱4bの下降に伴い内設支柱54に設けられた第２の滑車56が、第２の支柱4aすなわち第２のワイヤ59の一端59aから相対的に下降するので、第２のワイヤ59の他端59bが第４の支柱4cの底面57を引き下げ、支柱13を収縮させることができる。
【００４９】
さらに、第２、第３、第４の支柱4a,4b,4cからなる上部支柱４が、支柱13の軸方向を中心として第１の支柱３に対して回動した場合について説明する。上述の通り、第４の支柱4cは第３の支柱4bと第２の縦杆53を介して連動して回動可能であり、かつ、第３の支柱4bは第１の縦杆51を介して第２の支柱4aと連動して回動可能であり、さらに、上述の通り本体部24と第２の支柱4aが一体的に固定されているため、上部支柱４が回動すると、それに伴い、本体部24が連動して回動するため、本体部24の上端に設置された第１の滑車25および、内設支柱54の上端に設置された第２の滑車56は上部支柱４と一体的に回動する。したがって、この第１の滑車25に掛け渡された第１のワイヤ27の他端27bは第３の支柱4bの底面44に掛止されているため、この第１のワイヤ27の他端27bと第１の滑車25の位置関係は回動前後で何ら変わらない。また、第２の滑車56に掛け渡された第２のワイヤ59の端部59a,59bは第２、第４の支柱4a,4cの底面41,57にそれぞれ掛止されているため、この第２のワイヤ59の端部59a,59bと第２の滑車56の位置関係は回動前後で何ら変わらない。よって、第２のワイヤ59の端部59a,59bと滑車の位置関係が回動前後で変わらないため、上部支柱４の回動位置にかかわらず、支柱13の伸縮を行なうことができる。
【００５０】
このように本実施例では、請求項１に対応して、基台である台車６に設置された伸縮自在の支柱４と、該支柱４の内部に設けられた昇降装置21と、前記支柱４の先端に備えられた照明装置２と、該照明装置２に給電するための電源装置５とを備えた投光機１において、前記支柱４は円管からなり、前記昇降装置21と連動して回動することとしたから、円管で構成された支柱４が昇降装置21と連動して回転する構成となっているので、支柱４の回転位置を気にすることなく支柱４の伸縮をすることができる。
【００５１】
また、このように本実施例では、請求項２に対応して、前記支柱は基台に固定した基端支柱３と、該基端支柱である第１の支柱３に対して順次外径を小さくした複数の支柱からなる上部支柱４とをそれぞれ遊嵌して構成され、該上部支柱４は互いに上下移動可能かつ連動して回動可能に遊嵌されているから、台車６に固定された第１の支柱３に対し上下移動可能、かつ、軸方向に回動可能に上部支柱４が遊嵌されているので、上部支柱４を適宜回転させた場合にも支柱13の高さ調節を容易に行なうことができる。
【００５２】
また、このように本実施例では、請求項３に対応して、前記上部支柱は第２、第３の支柱からなり、前記昇降装置21は前記第２の支柱4a内に上下移動可能に遊挿され前記支柱４を伸長方向に付勢する付勢手段であるガスダンパー22を備え、該ガスダンパー22の下端部は前記第１の支柱３の内底部12に固定し、上端部には第１の滑車25を設け、該第１の滑車25に、一端27aを前記支柱４と連動して回動する受け部33に固定し、他端27bを第３の支柱4b下部に固定した第１のワイヤ27を掛け渡して構成したから、昇降装置21が支柱４の伸長方向に付勢されたガスダンパー22を利用して支柱４の伸縮を行なえるので、操作者の負担を軽減でき、支柱４の伸縮をより速やかに行なうことができる。
【００５３】
また、このように本実施例では、請求項４に対応して、前記上部支柱は第２および第３、第４の支柱4a,4b,4cからなり、前記第３の支柱4b内には第４の支柱4cに対し上下移動可能に遊嵌される内設支柱54を設け、前記昇降装置21は、前記第２の支柱4a内に上下移動可能に遊挿され前記上部支柱４を伸長方向に付勢する付勢手段であるガスダンパー22を備え、該ガスダンパー22の下端部は前記第１の支柱３の内底部12に固定し、上端部には第１の滑車25を設け、該第１の滑車25に、一端27aを前記支柱４と連動して回動する受け部33に固定し、他端27bを第３の支柱4b下部に固定した第１のワイヤ27を掛け渡し、前記内設支柱54の上部に第２の滑車56を設け、該第２の滑車56に、一端59aを前記第２の支柱4aの下面41に固定し、他端59bを第４の支柱4cの下面57に固定した第２のワイヤ59を掛け渡して構成したから、支柱13が４段の場合にも支柱の回動位置にかかわりなく、支柱13の伸縮を行なうことができる。
【００５４】
また、このように本実施例では、請求項５に対応して、前記第２、第３の支柱4a,4bの底面に第１のワイヤ27を連通させるための貫通孔を設けたから、支柱４の内部に第１のワイヤ27を掛け渡すことによって、外部に第１のワイヤ27が露出することがないため、操作者が第１のワイヤ27に触れることがなく怪我をする虞がないだけでなく、見栄えを良くすることができる。
【００５５】
本発明は、本実施形態に限定されるものではなく、本発明の要旨の範囲内で種々の変形実施が可能である。例えば、付勢手段はガスダンパーに限られるものではなく、オイルダンパーやコイルバネを適宜用いることができる。また、伸縮自在の支柱は本例では３本および４本の支柱により構成されるものを説明したが、用途に合わせて支柱を増やすことも可能である。さらに、ガスダンパーによる付勢力を強くし、操作者が力を加えなくとも支柱が伸長するようにしてもよい。
【図面の簡単な説明】
【００５６】
【図１】本発明に係る投光機の概略を模式的に示す全体構成図である。
【図２】同上、本実施例に係る支柱構造を模式的に示す平面図である。
【図３】図２におけるＡ−Ａ断面図である。
【図４】図３におけるＣ部の部分拡大図である。
【図５】図２におけるＢ−Ｂ断面図である。
【図６】本実施例に係る支柱構造を示す横断面図であり、（ａ）は図３におけるａ−ａ断面図、（ｂ）は同じくｂ−ｂ断面図である。
【図７】本発明の別の実施形態に係る支柱構造を模式的に示す縦断面図である。
【図８】同上、９０°回転した位置における縦断面図である。
【図９】同上、図８におけるｃ−ｃ断面図である。
【符号の説明】
【００５７】
１    投光機
２    照明装置
３    第１の支柱（基端支柱）
４    上部支柱
4a    第２の支柱
4b    第３の支柱
4c    第４の支柱
５    電源装置
６    台車（基台）
12    内底部
13    支柱
21    昇降装置
22    ガスダンパー（付勢手段）
25    第１の滑車
27    第１のワイヤ
27a    一端
27b    他端
33    受け部
41,44,57    底面
46,47,58,62    連通孔
54    内設支柱
56    第２の滑車
59    第２のワイヤ
59a    一端
59b    他端
【図１】
2005203237.tif 000003
【図２】
2005203237.tif 000004
【図３】
2005203237.tif 000005
【図４】
2005203237.tif 000006
【図５】
2005203237.tif 000007
【図６】
2005203237.tif 000008
【図７】
2005203237.tif 000009
【図８】
2005203237.tif 000010
【図９】
2005203237.tif 000011